(57)【要約】【課題】装置の立ち上がり時間を短縮する。【解決手段】空気調和装置（1）は、引張力の付与により発熱し且つ引張力の解除により吸熱する熱歪部材（21）と、該熱歪部材（21）に引張力を付与するアクチュエータ（22）とを有する第１及び第２室内ユニット（U1，U2）の冷却加熱モジュール（20）と、第１室内ユニット（U1）の冷却加熱モジュール（20）で熱歪部材（21）に引張力を付与し且つ第２室内ユニット（U2）の冷却加熱モジュール（20）で熱歪部材（21）に引張力を付与した後にその引張力を解除する初期運転を行う初期制御部を有する切換制御部（35）と、各冷却加熱モジュール（20）毎に設けられ、該各冷却加熱モジュール（20）で加熱した空気を室内（3）へ供給する空気通路（P1，P2）とを備えている。【選択図】図１
2014178093.tif 000002
【特許請求の範囲】
【請求項１】
空気の加熱を行う空気調和装置であって、
応力の付与により発熱し且つ応力の解除により吸熱する熱歪部材（21）と、該熱歪部材（21）に応力を付与するアクチュエータ（22）とを有する第１及び第２冷却加熱モジュール（20）と、
上記第１冷却加熱モジュール（20）で上記熱歪部材（21）に応力を付与し且つ上記第２冷却加熱モジュール（20）で上記熱歪部材（21）に応力を付与した後にその応力を解除する初期運転を行う初期制御部（36）と、上記初期運転後に、上記第１冷却加熱モジュール（20）で上記熱歪部材（21）への応力を解除し且つ上記第２冷却加熱モジュール（20）で上記熱歪部材（21）に応力を付与する第１運転と上記第１冷却加熱モジュール（20）で上記熱歪部材（21）に応力を付与し且つ上記第２冷却加熱モジュール（20）で上記熱歪部材（21）への応力を解除する第２運転とを交互に行う調温制御部（37）とを有する制御部（35）と、
上記各冷却加熱モジュール（20）毎に設けられ、該各冷却加熱モジュール（20）で加熱した空気を室内（3）へ供給する空気通路（P1，P2）とを備えていることを特徴とする空気調和装置。
【請求項２】
空気の加湿を行う調湿装置であって、
表面に空気中の水分の吸着と脱離が可能な吸着層（23）が設けられ、応力の付与により発熱し且つ応力の解除により吸熱する熱歪部材（21）と、該熱歪部材（21）に応力を付与するアクチュエータ（22）とを有する第１及び第２調湿モジュール（24）と、
上記第１調湿モジュール（24）で上記熱歪部材（21）に応力を付与し且つ上記第２調湿モジュール（24）で上記熱歪部材（21）に応力を付与した後にその応力を解除する初期運転を行う初期制御部（36）と、上記初期運転後に、上記第１調湿モジュール（24）で上記熱歪部材（21）への応力を解除し且つ上記第２調湿モジュール（24）で上記熱歪部材（21）に応力を付与する第１運転と上記第１調湿モジュール（24）で上記熱歪部材（21）に応力を付与し且つ上記第２調湿モジュール（24）で上記熱歪部材（21）への応力を解除する第２運転とを交互に行う調湿制御部（38）とを有する制御部（35）と、
上記各調湿モジュール（24）毎に設けられ、該各調湿モジュール（24）で加湿した空気を室内（3）へ供給する空気通路（P1，P2）とを備えていることを特徴とする調湿装置。
【発明の詳細な説明】
【技術分野】
【０００１】
本発明は、空気の加熱を行う空気調和装置及び空気の加湿を行う調湿装置に関するものである。
【背景技術】
【０００２】
従来より、張力の付与により発熱して張力の解除により吸熱する熱歪材料が知られている。特許文献１には、この種の熱歪材料としてニッケルチタン合金等が開示されている。特許文献１の段落００２０には、熱歪材料からなるワイヤーに張力を付与するとワイヤーが発熱し、ワイヤーの放熱後に張力を解除するとワイヤーが吸熱することが記載されている。また、この特許文献１には、熱歪材料からなる部材を利用した冷却システムが開示されている。
【先行技術文献】
【特許文献】
【０００３】
【特許文献１】特開２０１２−２２０１８４号公報
【発明の概要】
【発明が解決しようとする課題】
【０００４】
ところで、上述した熱歪部材を用いた装置として、例えば、以下に示すものが考えられる。つまり、この装置は、熱歪部材と該熱歪部材に張力を付与するアクチュエータとを備えるモジュールを２つ、室内に設置した構成となっている。この構成において、第１モジュールで熱歪部材に張力を付与し且つ第２モジュールで熱歪部材への張力を解除する運転と、第２モジュールで熱歪部材に張力を付与し且つ第１モジュールで熱歪部材への張力を解除する運転とを交互に切り換える。そして、冷房運転や除湿運転時には、張力解除側のモジュールを通過した空気を室内に供給する。一方、暖房運転や加湿運転時には、張力付与側のモジュールを通過した空気を室内に供給する。これによれば、調温運転や調湿運転を連続して行うことができる。
【０００５】
しかしながら、このような切換え運転では、暖房運転や加湿運転時において、空気をいずれか一方のモジュールでしか加熱又は加湿できないため、温度や湿度の立ち上がりに時間を要するという問題がある。                            
【０００６】
本発明は、かかる点に鑑みてなされたものであり、その目的は、装置の立ち上がり時間を短縮することにある。                                    
【課題を解決するための手段】
【０００７】
第１の発明は、空気の加熱を行う空気調和装置であって、応力の付与により発熱し且つ応力の解除により吸熱する熱歪部材（21）と、該熱歪部材（21）に応力を付与するアクチュエータ（22）とを有する第１及び第２冷却加熱モジュール（20）と、上記第１冷却加熱モジュール（20）で上記熱歪部材（21）に応力を付与し且つ上記第２冷却加熱モジュール（20）で上記熱歪部材（21）に応力を付与した後にその応力を解除する初期運転を行う初期制御部（36）と、上記初期運転後に、上記第１冷却加熱モジュール（20）で上記熱歪部材（21）への応力を解除し且つ上記第２冷却加熱モジュール（20）で上記熱歪部材（21）に応力を付与する第１運転と上記第１冷却加熱モジュール（20）で上記熱歪部材（21）に応力を付与し且つ上記第２冷却加熱モジュール（20）で上記熱歪部材（21）への応力を解除する第２運転とを交互に行う調温制御部（37）とを有する制御部（35）と、上記各冷却加熱モジュール（20）毎に設けられ、該各冷却加熱モジュール（20）で加熱した空気を室内（3）へ供給する空気通路（P1，P2）とを備えていることを特徴とするものである。
【０００８】
第１の発明では、制御部（35）がアクチュエータ（22）による熱歪部材（21）への応力の付与と解除を切り換えることにより、空気を冷却又は加熱することができる。
【０００９】
つまり、アクチュエータ（22）が熱歪部材（21）に応力を付与すると、熱歪部材（21）を構成する熱歪材料が母相（オーステナイト相）からマルテンサイト相へと相変化することで、エントロピーが減少し、その分、分子運動エネルギーが増加し、熱歪部材（21）が発熱するので、空気に熱が与えられる。また、熱歪部材（21）への応力の付与を解除すると、マルテンサイト相から母相（オーステナイト相）に変化し、該熱歪部材（21）が断熱されていた場合、エントロピーを大きくするために分子運動からエネルギーを奪うことで熱歪部材（21）の温度が下がるため、周囲の空気が冷却される。
【００１０】
そして、初期制御部（36）は、第１冷却加熱モジュール（20）で熱歪部材（21）に応力を付与し且つ第２冷却加熱モジュール（20）で熱歪部材（21）に応力を付与した後にその応力を解除する初期運転を行う。
【００１１】
第２の発明は、空気の加湿を行う調湿装置であって、表面に空気中の水分の吸着と脱離が可能な吸着層（23）が設けられ、応力の付与により発熱し且つ応力の解除により吸熱する熱歪部材（21）と、該熱歪部材（21）に応力を付与するアクチュエータ（22）とを有する第１及び第２調湿モジュール（24）と、上記第１調湿モジュール（24）で上記熱歪部材（21）に応力を付与し且つ上記第２調湿モジュール（24）で上記熱歪部材（21）に応力を付与した後にその応力を解除する初期運転を行う初期制御部（36）と、上記初期運転後に、上記第１調湿モジュール（24）で上記熱歪部材（21）への応力を解除し且つ上記第２調湿モジュール（24）で上記熱歪部材（21）に応力を付与する第１運転と上記第１調湿モジュール（24）で上記熱歪部材（21）に応力を付与し且つ上記第２調湿モジュール（24）で上記熱歪部材（21）への応力を解除する第２運転とを交互に行う調湿制御部（38）とを有する制御部（35）と、上記各調湿モジュール（24）毎に設けられ、該各調湿モジュール（24）で加湿した空気を室内（3）へ供給する空気通路（P1，P2）とを備えていることを特徴とするものである。
【００１２】
第２の発明では、制御部（35）がアクチュエータ（22）による熱歪部材（21）への応力の付与と解除を切り換えることにより、空気を除湿又は加湿することができる。
【００１３】
つまり、アクチュエータ（22）が熱歪部材（21）に応力を付与すると、熱歪部材（21）を構成する熱歪材料が母相（オーステナイト相）からマルテンサイト相へと相変化することで、エントロピーが減少し、その分、熱歪部材（21）が発熱する。このとき、熱歪部材（21）は、吸着層（23）に対して放熱する。したがって、吸着層（23）に含まれている水分が脱離する。また、熱歪部材（21）への応力の付与を解除すると、マルテンサイト相から母相に変化し、該熱歪部材（21）が断熱されていた場合、熱歪部材（21）の温度が下がる。このとき、熱歪部材（21）は、吸着層（23）から吸熱する。したがって、吸着層（23）に水分が効率よく吸着される。
【００１４】
そして、初期制御部（36）は、第１調湿モジュール（24）で熱歪部材（21）に応力を付与し且つ第２調湿モジュール（24）で熱歪部材（21）に応力を付与した後にその応力を解除する初期運転を行う。
【発明の効果】
【００１５】
本発明によれば、初期制御部（36）は、第１冷却加熱モジュール（20）で熱歪部材（21）に応力を付与し且つ第２冷却加熱モジュール（20）で熱歪部材（21）に応力を付与した後にその応力を解除する初期運転を行うため、この初期運転において、第１冷却加熱モジュール（20）のみならず、第２冷却加熱モジュール（20）でも空気を加熱することができる。このため、従来のように単に切換え運転を行う場合と比較して、初期運転の分、温度の立ち上がり時間、ひいては、装置の立ち上がり時間を短縮することができる。
【００１６】
また、上記第２の発明によれば、初期制御部（36）は、第１調湿モジュール（24）で熱歪部材（21）に応力を付与し且つ第２調湿モジュール（24）で熱歪部材（21）に応力を付与した後にその応力を解除する初期運転を行うため、この初期運転において、第１調湿モジュール（24）のみならず、第２調湿モジュール（24）でも空気を加湿することができる。このため、従来のように単に切換え運転を行う場合と比較して、初期運転の分、湿度の立ち上がり時間、ひいては、装置の立ち上がり時間を短縮することができる。
【図面の簡単な説明】
【００１７】
【図１】図１は、実施形態１及び実施形態３に係る空気調和装置を室内に設置した状態を示す概略図であり、図１（Ａ）は暖房運転の初期運転状態の前半、図１（Ｂ）は暖房運転の第１運転状態、図１（Ｃ）は暖房運転の初期運転状態の後半及び第２運転状態を示している。
【図２】図２（Ａ）は、図１の空気調和装置に用いられる冷却加熱モジュールの概略構成図であり、図２（Ｂ）は調湿モジュールの概略構成図である。
【図３】図３は、熱歪部材におけるＴ−Ｓ線図を示すものである。
【図４】図４（Ａ）は冷却加熱モジュールの概略構成図において加熱動作の状態を示す図であり、図４（Ｂ）は冷却加熱モジュールの概略構成図において冷却動作の状態を示す図である。
【図５】図５は、実施形態１に係る切換制御部の構成を示すブロック図である。
【図６】図６は、張力調整手段の一例を示すものである。
【図７】図７は、張力調整手段の一例を示すものである。
【図８】図８は、実施形態１に係る空気調和装置の暖房運転を説明するためのタイムチャートである。
【図９】図９は、実施形態１の変形例１及び実施形態３の変形例１に係る空気調和装置を室内に設置した状態を示す概略図であり、図９（Ａ）は暖房運転の初期運転状態の前半、図９（Ｂ）は暖房運転の第１運転状態、図９（Ｃ）は暖房運転の初期運転状態の後半及び第２運転状態を示している。
【図１０】図１０は、実施形態２に係る空気調和装置を室内に設置した状態を示す概略図であり、図１０（Ａ）は加湿暖房運転の初期運転状態の前半、図１０（Ｂ）は加湿暖房運転の第１運転状態、図１０（Ｃ）は加湿暖房運転の初期運転状態の後半及び第２運転状態を示している。
【図１１】図１１は、実施形態３に係る空気調和装置を室内に設置した状態を示す概略図であり、図１１（Ａ）は冷房運転の第１運転状態、図１１（Ｂ）は冷房運転の第２運転状態を示している。
【図１２】図１２は、実施形態３の変形例１に係る空気調和装置を室内に設置した状態を示す概略図であり、図１２（Ａ）は冷房運転の第１運転状態、図１２（Ｂ）は冷房運転の第２運転状態を示している。
【図１３】図１３は、実施形態３の変形例２に係る空気調和装置を室内に設置した状態を示す概略図であり、図１３（Ａ）は除湿冷房運転の第１運転状態、図１３（Ｂ）は除湿冷房運転の第２運転状態を示している。
【図１４】図１４は、実施形態４及び実施形態６に係る調湿装置を室内に設置した状態を示す概略図であり、図１４（Ａ）は加湿運転の初期運転状態の前半、図１４（Ｂ）は加湿運転の第１運転状態、図１４（Ｃ）は加湿運転の初期運転状態の後半及び第２運転状態を示している。
【図１５】図１５（Ａ）は調湿モジュールの概略構成図において放湿動作の状態を示す図であり、図１５（Ｂ）は調湿モジュールの概略構成図において吸湿動作の状態を示す図である。
【図１６】図１６は、実施形態４に係る切換制御部の構成を示すブロック図である。
【図１７】図１７は、実施形態４に係る調湿装置の加湿運転を説明するためのタイムチャートである。
【図１８】図１８は、実施形態４の変形例１及び実施形態６の変形例１に係る調湿装置を室内に設置した状態を示す概略図であり、図１８（Ａ）は加湿運転の初期運転状態の前半、図１８（Ｂ）は加湿運転の第１運転状態、図１８（Ｃ）は加湿運転の初期運転状態の後半及び第２運転状態を示している。
【図１９】図１９は、実施形態５及び実施形態６の変形例２に係る調湿装置を室内に設置した状態を示す概略図であり、図１９（Ａ）は加湿暖房運転の初期運転状態の前半、図１９（Ｂ）は加湿暖房運転の第１運転状態、図１９（Ｃ）は加湿暖房運転の初期運転状態の後半及び第２運転状態を示している。
【図２０】図２０は、実施形態６に係る調湿装置を室内に設置した状態を示す概略図であり、図２０（Ａ）は除湿運転の第１運転状態、図２０（Ｂ）は除湿運転の第２運転状態を示している。
【図２１】図２１は、実施形態６の変形例１に係る調湿装置を室内に設置した状態を示す概略図であり、図２１（Ａ）は除湿運転の第１運転状態、図２１（Ｂ）は除湿運転の第２運転状態を示している。
【図２２】図２２は、実施形態６の変形例２に係る調湿装置を室内に設置した状態を示す概略図であり、図２２（Ａ）は除湿冷房運転の第１運転状態、図２２（Ｂ）は除湿冷房運転の第２運転状態を示している。
【図２３】図２３は、その他の形態に係るアクチュエータの構成を示す図である。
【図２４】図２４は、その他の形態に係るアクチュエータの構成を示す図である。
【図２５】図２５は、その他の形態に係るアクチュエータの構成を示す図である。
【図２６】図２６は、その他の形態に係るアクチュエータの構成を示す図である。
【発明を実施するための形態】
【００１８】
以下、本発明の実施形態を図面に基づいて詳細に説明する。
【００１９】
《発明の実施形態１》
本発明の実施形態１について説明する。
【００２０】
−装置の全体構成−
図１は、実施形態１に係る空気調和装置（1）を建物（2）の室内（空調対象空間）（3）に設置した状態を示す概略図であり、図１（Ａ）は、第１及び第２室内ユニット（U1,U2）で加熱動作（放熱動作）を行う状態を示し、図１（Ｂ）は、第２室内ユニット（U2）で加熱動作を行い、第１室内ユニット（U1）で冷却動作（吸熱動作）を行う状態を示し、図１（Ｃ）は、第１室内ユニット（U1）で加熱動作を行い、第２室内ユニット（U2）で冷却動作を行う状態を示している。実施形態１の空気調和装置（1）は、バッチ切換型の暖房専用機として構成されている。
【００２１】
この空気調和装置（1）は、ケーシング（10）と、ケーシング（10）内に収納された冷却加熱モジュール（20）と、冷却加熱モジュール（20）に空気を流すファン（30）と、冷却加熱モジュール（20）に付与する引張力を調節する切換制御部（35）とを備えている。冷却加熱モジュール（20）と切換制御部（35）とにより冷却加熱ユニット（5）が構成されている。また、ケーシング（10）とその内部に設けられた機能部品により室内ユニット（U）が構成されている。なお、切換制御部（35）は、本発明に係る制御部を構成している。
【００２２】
実施形態１は、２つの室内ユニット（U1，U2）を空調対象の室内（3）に設置するように構成したものである。図では、部屋の対向する壁面の一方（図の右側の壁面）に第１室内ユニット（U1）が設置され、壁面の他方（図の左側の壁面）に第２室内ユニット（U2）が設置されている。なお、第１室内ユニット（U1）の冷却加熱モジュール（20）は、本発明に係る第１冷却加熱モジュールを構成し、第２室内ユニット（U2）の冷却加熱モジュール（20）は、本発明に係る第２冷却加熱モジュールを構成している。
【００２３】
ケーシング（10）内には、該ケーシング（10）内に導入された空気を冷却加熱モジュール（20）に通すための空気通路（P1，P2）が形成されている。具体的には、室内（3）からケーシング（10）内に吸い込まれた空気は空気通路（P1，P2）を通る際に冷却加熱モジュール（20）で処理されて室内（3）に戻される。また、この空気調和装置（1）は、後述するように連続的に室内（3）を暖めるように構成されており、室外からケーシング（10）内に吸い込まれた空気が空気通路（P1，P2）を通る際に冷却加熱モジュール（20）に熱を与えて再び室外に放出される。
【００２４】
以上の空気流れを実現するために、この空気調和装置（1）は、室内（3）からの吸込空気、室内（3）への吹出空気、室外からの吸込空気、及び室外への吹出空気が混合しないように、図示していない仕切板やダンパ等でケーシング（10）内が区画されている。
【００２５】
−冷却加熱モジュール−
冷却加熱モジュール（20）は、概略の構成を図２（Ａ）に示すように、熱歪部材（21）と、該熱歪部材（21）に引張力を付与するアクチュエータ（22）とを備えている。なお、この熱歪部材（21）に付与される引張力は、本発明に係る応力を構成している。
【００２６】
上記熱歪部材（21）は、張力（例えば引張力や圧縮力）をかけることで対象物を加熱する一方、応力を解除することで対象物を冷却するものである。具体的には、図３に示すように、熱歪部材（21）に応力をかけると、熱歪部材（21）を構成する熱歪材料が母相（オーステナイト相）からマルテンサイト相へと相変化することで、エントロピーが減少し、その分、発熱して熱歪部材（21）自身が加熱される（IからII）。熱歪部材（21）に応力をかけたまま、該熱歪部材（21）を加熱対象物に接触させると、熱歪部材（21）の熱が加熱対象物に伝わる（IIからIII）。こうすることで、熱歪部材（21）の温度は下がる。そして、熱歪部材（21）にかけられている応力を除去（解除）すると、マルテンサイト相から母相（オーステナイト相）に変化する（IIIからIV）。このとき、熱歪部材（21）が断熱されていると、熱歪部材（21）の温度が下がる。温度が下がった熱歪部材に冷却対象物を接触させると、該冷却対象物の熱が熱歪部材（21）に伝わる（IVからI）。
【００２７】
したがって、図４（Ａ）に示すように、熱歪部材（21）に引張力を付与すると、熱歪部材（21）が発熱する。冷却加熱モジュール（20）を通過した空気は温度が上昇する。逆に図４（Ｂ）に示すように熱歪部材（21）への引張力を解除すると、熱歪部材（21）が吸熱する。冷却加熱モジュール（20）を通過した空気は温度が低下する。この空気調和装置（1）では、熱歪部材（21）の加熱動作と冷却動作が交互に行われ、加熱動作を用いた暖房運転が連続的に行われる。
【００２８】
なお、熱歪部材（21）は、冷却加熱中には動作開始から能力のピークを越えると能力が低下する。そのため、冷却動作と加熱動作が交互に切り換えられる。
【００２９】
熱歪部材（21）の具体例として、チタン（Ｔｉ）／ニッケル（Ｎｉ）系の合金（例えば形状記憶合金）やエラストマ樹脂を挙げることができる。
【００３０】
上記アクチュエータ（22）は、熱歪部材（21）に引張力を付与するためのものである。アクチュエータ（22）は、切換制御部（35）に接続され、該切換制御部（35）によって熱歪部材（21）への引張力の付与と解除とが制御される。
【００３１】
−引張力付与動作−
上記切換制御部（35）は、アクチュエータ（22）を制御して、熱歪部材（21）への引張力の付与と解除を制御するものである。切換制御部（35）は、図５に示すように、初期制御部（36）と、調温制御部（37）とを備えている。
【００３２】
上記初期制御部（36）は、第１室内ユニット（U1）の冷却加熱モジュール（20）で熱歪部材（21）に引張力を付与し且つ第２室内ユニット（U2）の冷却加熱モジュール（20）で熱歪部材（21）に引張力を付与した後にその引張力を解除する初期運転を行う。
【００３３】
上記温調制御部（37）は、上記初期運転後に、第１室内ユニット（U1）の冷却加熱モジュール（20）で熱歪部材（21）への引張力を解除し且つ第２室内ユニット（U2）の冷却加熱モジュール（20）で熱歪部材（21）に引張力を付与する第１運転と、第１室内ユニット（U1）の冷却加熱モジュール（20）で熱歪部材（21）に引張力を付与し且つ第２室内ユニット（U2）の冷却加熱モジュール（20）で熱歪部材（21）への引張力を解除する第２運転とを交互に行う。
【００３４】
切換制御部（35）は、図６（Ａ〜Ｃ）において、アクチュエータ（22）における熱歪部材（21）に付与する引張力の大きさを変化させることにより該熱歪部材（21）の発熱量を調整し、冷却加熱能力を調整するように構成されている。
【００３５】
また、上記切換制御部（35）は、図７（Ａ〜Ｃ）において、各熱歪部材（21）の全体のうち、引張力を付与する熱歪部材（21）の割合を変化させることにより該熱歪部材（21）の発熱力を調整し、冷却加熱能力を調整するようにしてもよい。
【００３６】
さらに、上記切換制御部（35）は、上記冷却動作と加熱動作を繰り返す時間間隔を変化させることにより上記熱歪部材（21）の発熱量を調整し、冷却加熱能力を調整するように構成してもよい。
【００３７】
−運転動作−
この空気調和装置（1）では、図８に示す暖房運転のみが行われる。
【００３８】
図１（Ａ）,（Ｃ）は、第１室内ユニット（U1）で加熱動作を行い、第２室内ユニット（U2）で加熱動作を行った後に冷却動作を行う初期運転（立ち上がり促進運転）を示している。この初期運転は、暖房運転開始（再開）直後の、最初のバッチで行われる。初期運転において、第１室内ユニット（U1）では、図１（Ａ）,（Ｃ）及び図８に示すように、冷却加熱モジュール（20）の熱歪部材（21）に引張力が付与される。したがって、第１室内ユニット（U1）の冷却加熱モジュール（20）が放熱し、ケーシング（10）に取り込まれた室内空気（RA）が加熱される。そして、加熱された空気が供給空気（SA）として室内（3）へ供給される。
【００３９】
一方、第２室内ユニット（U2）では、図１（Ａ）及び図８に示すように、冷却加熱モジュール（20）の熱歪部材（21）に引張力が付与される。したがって、第２室内ユニット（U2）の冷却加熱モジュール（20）が放熱し、ケーシング（10）に取り込まれた室内空気（RA）が加熱される。そして、加熱された空気が供給空気（SA）として室内（3）へ供給される。その後、初期運転時間の、半分の時間が経過すると、第２室内ユニット（U2）では、図１（Ｃ）及び図８に示すように、室外空気（OA）をケーシング（10）に取り入れて処理した後に排出する方向へファン（30）が回転し、同時に冷却加熱モジュール（20）の熱歪部材（21）への引張力が解除される。したがって、室外空気（OA）が冷却加熱モジュール（20）に熱を奪われ、排出空気（EA）として室外に放出される。
【００４０】
図１（Ｂ）は、第２室内ユニット（U2）で加熱動作を行い、第１室内ユニット（U1）で冷却動作を行う第１運転を示している。第２室内ユニット（U2）では、図１（Ｂ）及び図８に示すように、冷却加熱モジュール（20）の熱歪部材（21）に引張力が付与される。したがって、第２室内ユニット（U2）の冷却加熱モジュール（20）が放熱し、ケーシング（10）に取り込まれた室内空気（RA）が加熱される。そして、加熱された空気が供給空気（SA）として室内（3）へ供給される。
【００４１】
一方、第１室内ユニット（U1）では、図１（Ｂ）及び図８に示すように、室外空気（OA）をケーシング（10）に取り入れて処理した後に排出する方向へファン（30）が回転し、同時に冷却加熱モジュール（20）の熱歪部材（21）への引張力が解除される。したがって、室外空気（OA）が冷却加熱モジュール（20）に熱を奪われ、排出空気（EA）として室外に放出される。
【００４２】
図１（Ｃ）は、第１室内ユニット（U1）で加熱動作を行い、第２室内ユニット（U2）で冷却動作を行う第２運転を示している。第１室内ユニット（U1）では、図１（Ｃ）及び図８に示すように、冷却加熱モジュール（20）の熱歪部材（21）に引張力が付与される。したがって、第１室内ユニット（U1）の冷却加熱モジュール（20）が放熱し、ケーシング（10）に取り込まれた室内空気（RA）が加熱される。そして、加熱された空気が供給空気（SA）として室内（3）へ供給される。
【００４３】
一方、第２室内ユニット（U2）では、図１（Ｃ）及び図８に示すように、室外空気（OA）をケーシング（10）に取り入れて処理した後に排出する方向へファン（30）が回転し、同時に冷却加熱モジュール（20）の熱歪部材（21）への引張力が解除される。したがって、室外空気（OA）が冷却加熱モジュール（20）に熱を奪われ、排出空気（EA）として室外に放出される。
【００４４】
そして、この実施形態１によれば、第１室内ユニット（U1）で空気を加熱して、その空気を室内（3）へ供給するときに、第２室内ユニット（U2）では空気を加熱して、その空気を室内（3）へ供給した後に冷却動作を行う図１（Ａ）,（Ｃ）の初期運転を行った後、いずれか一方の室内ユニット（U1，U2）で空気を加熱して、その空気を室内（3）へ供給するときに、他方の室内ユニット（U2，U1）では冷却動作を行う図１（Ｂ）の第１運転と図１（Ｃ）の第２運転を交互に切り換えて行うことにより、暖房運転を連続して行うことができる。
【００４５】
なお、熱歪部材（21）は、暖房運転停止中には、熱歪部材（21）への疲労負荷の低減ため、引張力が解除される。また、この実施形態では、初期運転時間、第１運転時間、及び第２運転時間は、同じ長さである。
【００４６】
−実施形態１の効果−
実施形態１によれば、初期制御部（36）が、第１室内ユニット（U1）の冷却加熱モジュール（20）で熱歪部材（21）に引張力を付与し且つ第２室内ユニット（U2）の冷却加熱モジュール（20）で熱歪部材（21）に引張力を付与した後にその引張力を解除する初期運転を行うため、この初期運転において、第１室内ユニット（U1）の冷却加熱モジュール（20）のみならず、第２室内ユニット（U2）の冷却加熱モジュール（20）でも空気を加熱することができる。このため、従来のように単に切換え運転を行う場合と比較して、初期運転の半サイクルの分、温度の立ち上がり時間、ひいては、装置の立ち上がり時間を短縮することができる。
【００４７】
−実施形態１の変形例−
（変形例１）
図９に示す実施形態１の変形例１は、２つの室内ユニット（U1，U2）を空調対象の室内（3）に設置するように構成したものである。この変形例では、第１室内ユニット（U1）と第２室内ユニット（U2）の両方が、図の右側の壁面に設置されている。
【００４８】
この実施形態１の変形例１によれば、実施形態１と同様に、第１室内ユニット（U1）で空気を加熱して、その空気を室内（3）へ供給するときに、第２室内ユニット（U2）では空気を加熱して、その空気を室内（3）へ供給した後に冷却動作を行う図９（Ａ）,（Ｃ）の初期運転を行った後、いずれか一方の室内ユニット（U1，U2）で空気を加熱して、その空気を室内（3）へ供給するときに、他方の室内ユニット（U2，U1）では冷却動作を行う図９（Ｂ）の第１運転と図９（Ｃ）の第２運転を交互に切り換えて行うことにより、暖房運転を連続して行うことができる。
【００４９】
《発明の実施形態２》
図１０に示す実施形態２は、加湿暖房機として構成した例である。この実施形態において、第１室内ユニット（U1）と第２室内ユニット（U2）の両方が、図の右側の壁面に設置されている。
【００５０】
この空気調和装置（1）において、第１室内ユニット（U1）と第２室内ユニット（U2）に、上記冷却加熱モジュール（20）に加えて、空気に対する水分の放湿と吸湿を行うように構成した調湿モジュール（24）が設けられている。この調湿モジュール（24）は、図２（Ｂ）において、熱歪部材（21）と、この熱歪部材（21）に引張力を付与するアクチュエータ（22）と、熱歪部材（21）の表面に形成された吸着剤からなる吸着層（23）とを有している。調湿モジュール（24）では、引張力を付与すると空気を加湿することができ、引張力を解除すると空気を減湿することができる。
【００５１】
この実施形態２では、第１室内ユニット（U1）と第２室内ユニット（U2）のいずれについても、空気は冷却加熱モジュール（20）と調湿モジュール（24）を通過する。したがって、この空気調和装置（1）では、空気の冷却処理と加熱処理を行うことに加えて、空気の吸湿処理及び放湿処理も行うことができる。
【００５２】
図１０（Ａ）,（Ｃ）は、第１室内ユニット（U1）で加熱放湿動作を行い、第２室内ユニット（U2）で加熱放湿動作を行った後に冷却吸湿動作を行う初期運転を示している。この初期運転は、暖房運転開始（再開）直後の、最初のバッチで行われる。初期運転において、第１室内ユニット（U1）では、図１０（Ａ）,（Ｃ）に示すように、冷却加熱モジュール（20）と調湿モジュール（24）の熱歪部材（21）に引張力が付与される。したがって、ケーシング（10）内に取り込まれた室内空気（RA）が加熱されるとともに加湿され、その空気が供給空気（SA）として室内（3）へ供給される。
【００５３】
一方、第２室内ユニット（U2）では、図１０（Ａ）に示すように、冷却加熱モジュール（20）と調湿モジュール（24）の熱歪部材（21）に引張力が付与される。したがって、ケーシング（10）内に取り込まれた室内空気（RA）が加熱されるとともに加湿され、その空気が供給空気（SA）として室内（3）へ供給される。その後、初期運転時間の、半分の時間が経過すると、第２室内ユニット（U2）では、図１０（Ｃ）に示すように、室外空気（OA）をケーシング（10）に取り入れて処理した後に排出する方向へファン（30）が回転し、同時に冷却加熱モジュール（20）と調湿モジュール（24）の熱歪部材（21）への引張力が解除される。冷却加熱モジュール（20）での冷却処理と調湿モジュール（24）での吸湿処理の行われた空気が排出空気（EA）として室外に放出される。
【００５４】
図１０（Ｂ）は、第２室内ユニット（U2）で加熱放湿動作を行い、第１室内ユニット（U1）で冷却吸湿動作を行う第１運転を示している。第２室内ユニット（U2）では、冷却加熱モジュール（20）と調湿モジュール（24）の熱歪部材（21）に引張力が付与される。したがって、ケーシング（10）内に取り込まれた室内空気（RA）が加熱されるとともに加湿され、その空気が供給空気（SA）として室内（3）へ供給される。
【００５５】
一方、第１室内ユニット（U1）では、室外空気（OA）をケーシング（10）に取り入れて処理した後に排出する方向へファン（30）が回転し、同時に冷却加熱モジュール（20）と調湿モジュール（24）の熱歪部材（21）への引張力が解除される。冷却加熱モジュール（20）での冷却処理と調湿モジュール（24）での吸湿処理の行われた空気が排出空気（EA）として室外に放出される。
【００５６】
図１０（Ｃ）は、第１室内ユニット（U1）で加熱放湿動作を行い、第２室内ユニット（U2）で冷却吸湿動作を行う第２運転を示している。第１室内ユニット（U1）では、冷却加熱モジュール（20）と調湿モジュール（24）の熱歪部材（21）に引張力が付与される。したがって、ケーシング（10）内に取り込まれた室内空気（RA）が加熱されるとともに加湿され、その空気が供給空気（SA）として室内（3）へ供給される。
【００５７】
一方、第２室内ユニット（U2）では、室外空気（OA）をケーシング（10）に取り入れて処理した後に排出する方向へファン（30）が回転し、同時に冷却加熱モジュール（20）と調湿モジュール（24）の熱歪部材（21）への引張力が解除される。冷却加熱モジュール（20）での冷却処理と調湿モジュール（24）での吸湿処理の行われた空気が排出空気（EA）として室外に放出される。
【００５８】
そして、この実施形態２によれば、第１室内ユニット（U1）で空気を加熱加湿して、その空気を室内（3）へ供給するときに、第２室内ユニット（U2）では空気を加熱加湿して、その空気を室内（3）へ供給した後に冷却吸湿動作を行う図１０（Ａ）,（Ｃ）の初期運転を行った後、いずれか一方の室内ユニット（U1，U2）で空気の加湿と加熱を行って、その空気を室内（3）へ供給するときに、他方の室内ユニット（U2，U1）では空気の冷却と吸着層（23）での吸湿を行う図１０（Ｂ）の第１運転と図１０（Ｃ）の第２運転を交互に切り換えて行うことにより、加湿暖房運転を連続して行うことができる。
【００５９】
《発明の実施形態３》
実施形態３は、図１及び図１１の空気調和装置（1）において、引張力の付与状態を切り換えることにより、図１の暖房運転と図１１の冷房運転とを切り換え可能に構成したものである。装置の基本的な構成は図１と同様であるため、具体的な説明は省略する。
【００６０】
この空気調和装置（1）において、図１（Ａ）〜（Ｃ）の暖房運転では、上記初期運転を行った後、ケーシング（10）内に取り込まれた室内空気（RA）が通過する冷却加熱モジュール（20）に引張力が付与され、ケーシング（10）内に取り込まれた室外空気（OA）が通過する冷却加熱モジュール（20）への引張力が解除される。また、図１１（Ａ），（Ｂ）の冷房運転では、ケーシング（10）内に取り込まれた室内空気（RA）が通過する冷却加熱モジュール（20）への引張力が解除され、ケーシング（10）内に取り込まれた室外空気（OA）が通過する冷却加熱モジュール（20）へ引張力が付与される。
【００６１】
このように構成すれば、２つの室内ユニット（U1，U2）を部屋の対向する壁面に設置した空気調和装置（1）において、室内（3）を連続的に暖房する運転と、室内（3）を連続的に冷房する運転とを切り換えて行うことが可能になる。
【００６２】
−実施形態３の変形例−
（変形例１）
実施形態３の変形例１は、図９及び図１２の空気調和装置（1）において、引張力の付与状態を切り換えることにより、図９の暖房運転と図１２の冷房運転とを切り換え可能に構成したものである。装置の基本的な構成は図９と同様であるため、具体的な説明は省略する。
【００６３】
この空気調和装置（1）において、図９（Ａ）〜（Ｃ）の暖房運転では、上記初期運転を行った後、ケーシング（10）内に取り込まれた室内空気（RA）が通過する冷却加熱モジュール（20）に引張力が付与され、ケーシング（10）内に取り込まれた室外空気（OA）が通過する冷却加熱モジュール（20）への引張力が解除される。また、図１３（Ａ），（Ｂ）の冷房運転では、ケーシング（10）内に取り込まれた室内空気（RA）が通過する冷却加熱モジュール（20）への引張力が解除され、ケーシング（10）内に取り込まれた室外空気（OA）が通過する冷却加熱モジュール（20）へ引張力が付与される。
【００６４】
このように構成すれば、２つの室内ユニット（U1，U2）を部屋の一方の壁面に設置した空気調和装置（1）において、室内（3）を連続的に暖房する運転と、室内（3）を連続的に冷房する運転とを切り換えて行うことが可能になる。
【００６５】
（変形例２）
実施形態３の変形例２は、図１０及び図１３の空気調和装置（1）において、引張力の付与状態を切り換えることにより、図１０の加湿暖房運転と図１３の除湿冷房運転とを切り換え可能に構成したものである。装置の基本的な構成は図１０と同様であるため、具体的な説明は省略する。
【００６６】
この空気調和装置（1）において、図１０（Ａ）〜（Ｃ）の加湿暖房運転では、上記初期運転を行った後、ケーシング（10）内に取り込まれた室内空気（RA）が通過する冷却加熱モジュール（20）と調湿モジュール（24）へ引張力が付与され、ケーシング（10）内に取り込まれた室外空気（OA）が通過する冷却加熱モジュール（20）と調湿モジュール（24）への引張力が解除される。また、図１３（Ａ），（Ｂ）の運転では、ケーシング（10）内に取り込まれた室内空気（RA）が通過する冷却加熱モジュール（20）と調湿モジュール（24）への引張力が解除され、ケーシング（10）内に取り込まれた室外空気（OA）が通過する冷却加熱モジュール（20）と調湿モジュール（24）に引張力が付与される。
【００６７】
このように構成すれば、２つの室内ユニット（U1，U2）のそれぞれに冷却加熱モジュール（20）と調湿モジュール（24）を設けた空気調和装置（1）において、室内（3）を連続的に加湿暖房する運転と、室内（3）を連続的に除湿冷房する運転とを切り換えて行うことが可能になる。
【００６８】
《発明の実施形態４》
本発明の実施形態４について説明する。
【００６９】
−装置の全体構成−
図１４は、実施形態４に係る調湿装置（100）を建物（2）の室内（空調対象空間）（3）に設置した状態を示す概略図であり、図１４（Ａ）は、第１及び第２室内ユニット（U1,U2）で放湿動作を行う状態を示し、図１４（Ｂ）は、第２室内ユニット（U2）で放湿動作を行い、第１室内ユニット（U1）で吸湿動作を行う状態を示し、図１４（Ｃ）は、第１室内ユニット（U1）で放湿動作を行い、第２室内ユニット（U2）で吸湿動作を行う状態を示している。実施形態４の調湿装置（100）は、バッチ切換型の加湿専用機として構成されている。
【００７０】
この調湿装置（100）は、ケーシング（10）と、ケーシング（10）内に収納された調湿モジュール（24）と、調湿モジュール（24）に空気を流すファン（30）と、調湿モジュール（24）に付与する引張力を調節する切換制御部（35）とを備えている。調湿モジュール（24）と切換制御部（35）とにより調湿ユニット（5）が構成されている。また、ケーシング（10）とその内部に設けられた機能部品により室内ユニット（U）が構成されている。
【００７１】
実施形態４は、２つの室内ユニット（U1，U2）を空調対象の室内（3）に設置するように構成したものである。図では、部屋の対向する壁面の一方（図の右側の壁面）に第１室内ユニット（U1）が設置され、壁面の他方（図の左側の壁面）に第２室内ユニット（U2）が設置されている。なお、第１室内ユニット（U1）の調湿モジュール（24）は、本発明に係る第１調湿モジュールを構成し、第２室内ユニット（U2）の調湿モジュール（24）は、本発明に係る第２調湿モジュールを構成している。
【００７２】
ケーシング（10）内には、該ケーシング（10）内に導入された空気を調湿モジュール（24）に通して室内（3）へ供給するための空気通路（P1，P2）が形成されている。この実施形態では、上記調湿モジュール（24）で吸湿処理した空気をこの空気通路（P1，P2）により室内（3）に導入することにより、加湿運転を行うことができるようになっている。
【００７３】
−調湿モジュール−
上記調湿モジュール（24）は、概略の構成を図２（Ｂ）に示すように、熱歪部材（21）と、該熱歪部材（21）に引張力を付与するアクチュエータ（22）とを備えている。熱歪部材（21）の表面には、空気中の水分の吸着と脱離が可能な吸着層（23）が設けられている。
【００７４】
上記熱歪部材（21）は、実施形態１の冷却加熱モジュール（20）と同様に、例示として形状記憶合金によって構成され、引張力をかけることで対象物を加熱する一方、引張力を解除することで対象物を冷却するものである。熱歪部材（21）のＴ−Ｓ線図は図３と同様であるため、具体的な説明は省略する。
【００７５】
したがって、図１５（Ａ）に示すように、熱歪部材（21）に引張力を付与すると、熱歪部材（21）が発熱し、吸着層（23）が加熱される。吸着層（23）が加熱されると、吸着層（23）に吸着されていた水分が空気中に放出される（放湿動作）。したがって、調湿モジュール（24）を通過した後の空気中の水分は通過前より多くなる。逆に図１５（Ｂ）に示すように熱歪部材（21）への引張力を解除すると、熱歪部材（21）が吸熱し、吸着層（23）が冷却される。吸着層（23）が冷却されると、空気中の水分が吸着層（23）に吸着される（吸湿動作）。したがって、調湿モジュール（24）を通過した後の空気中の水分は通過前より少なくなる。この調湿装置（100）では、放湿動作と吸湿動作が交互に行われる。
【００７６】
熱歪部材（21）の具体例は実施形態１の冷却加熱モジュール（20）と同様であるため、具体的な説明は省略する。
【００７７】
上記アクチュエータ（22）は、熱歪部材（21）に引張力を付与するためのものである。アクチュエータ（22）は、切換制御部（35）に接続され、該切換制御部（35）によって熱歪部材（21）への引張力の付与と解除とが制御される。
【００７８】
−引張力付与動作−
上記切換制御部（35）は、アクチュエータ（22）を制御して、熱歪部材（21）への引張力の付与と解除を制御するものである。切換制御部（35）は、図１６に示すように、初期制御部（36）と、調湿制御部（38）とを備えている。
【００７９】
上記初期制御部（36）は、第１室内ユニット（U1）の調湿モジュール（24）で熱歪部材（21）に張力を付与し且つ第２室内ユニット（U2）の調湿モジュール（24）で熱歪部材（21）に張力を付与した後にその張力を解除する初期運転を行う。
【００８０】
上記調湿制御部（38）は、上記初期運転後に、第１室内ユニット（U1）の調湿モジュール（24）で熱歪部材（21）への張力を解除し且つ第２室内ユニット（U2）の調湿モジュール（24）で熱歪部材（21）に張力を付与する第１運転と、第１室内ユニット（U1）の調湿モジュール（24）で熱歪部材（21）に張力を付与し且つ第２室内ユニット（U2）の調湿モジュール（24）で熱歪部材（21）への張力を解除する第２運転とを交互に行う。
【００８１】
切換制御部（35）は、図６（Ａ〜Ｃ）において、アクチュエータ（22）における熱歪部材（21）に付与する引張力の大きさを変化させることにより該熱歪部材（21）の発熱量を調整し、吸放湿能力を調整するように構成されている。
【００８２】
また、上記切換制御部（35）は、図７（Ａ〜Ｃ）において、各熱歪部材（21）の全体のうち、引張力を付与する熱歪部材（21）の割合を変化させることにより該熱歪部材（21）の発熱力を調整し、吸放湿能力を調整するようにしてもよい。
【００８３】
さらに、上記切換制御部（35）は、上記吸湿動作と放湿動作を繰り返す時間間隔を変化させることにより上記熱歪部材（21）の発熱量を調整し、吸放湿能力を調整するように構成してもよい。
【００８４】
−運転動作−
この調湿装置（100）では、図１７に示す加湿運転のみが行われる。
【００８５】
図１４（Ａ）,（Ｃ）は、第１室内ユニット（U1）で放湿動作を行い、第２室内ユニット（U2）で放湿動作を行った後に吸湿動作を行う初期運転（立ち上がり促進運転）を示している。この初期運転は、加湿運転開始（再開）直後の、最初のバッチで行われる。初期運転において、第１室内ユニット（U1）では、図１４（Ａ）,（Ｃ）及び図１７に示すように、調湿モジュール（24）の熱歪部材（21）へ引張力が付与される。したがって、第１室内ユニット（U1）の調湿モジュール（24）が放熱し、室外から室内（3）へ流れる室外空気（OA）に水分が与えられる。そして、水分が与えられて加湿された空気が供給空気（SA）として室内（3）へ供給される。
【００８６】
一方、第２室内ユニット（U2）では、図１４（Ａ）及び図１７に示すように、調湿モジュール（24）の熱歪部材（21）へ引張力が付与される。したがって、第２室内ユニット（U2）の調湿モジュール（24）が放熱し、室外から室内（3）へ流れる室外空気（OA）に水分が与えられる。そして、水分が与えられて加湿された空気が供給空気（SA）として室内（3）へ供給される。その後、初期運転時間の、半分の時間が経過すると、第２室内ユニット（U2）では、図１４（Ｃ）及び図１７に示すように、室内空気（RA）が室外へ排出される方向へファン（30）が回転し、同時に調湿モジュール（24）の熱歪部材（21）への引張力が解除される。したがって、空気中の水分が吸着層（23）に吸着され、減湿された空気が排出空気（EA）として室外に放出される。
【００８７】
図１４（Ｂ）は、第２室内ユニット（U2）で放湿動作を行い、第１室内ユニット（U1）で吸湿動作を行う第１運転を示している。第２室内ユニット（U2）では、図１４（Ｂ）及び図１７に示すように、調湿モジュール（24）の熱歪部材（21）に引張力が付与される。したがって、第２室内ユニット（U2）の調湿モジュール（24）が放熱し、室外から室内（3）へ流れる室外空気（OA）に水分が与えられる。そして、水分が与えられて加湿された空気が供給空気（SA）として室内（3）へ供給される。
【００８８】
一方、第１室内ユニット（U1）では、図１４（Ｂ）及び図１７に示すように、室内空気（RA）が室外へ排出される方向へファン（30）が回転し、同時に調湿モジュール（24）の熱歪部材（21）への引張力が解除される。したがって、空気中の水分が吸着層（23）に吸着され、減湿された空気が排出空気（EA）として室外に放出される。
【００８９】
図１４（Ｃ）は、第１室内ユニット（U1）で放湿動作を行い、第２室内ユニット（U2）で吸湿動作を行う第２運転を示している。第１室内ユニット（U1）では、図１４（Ｃ）及び図１７に示すように、調湿モジュール（24）の熱歪部材（21）へ引張力が付与される。したがって、第１室内ユニット（U1）の調湿モジュール（24）が放熱し、室外から室内（3）へ流れる室外空気（OA）に水分が与えられる。そして、水分が与えられて加湿された空気が供給空気（SA）として室内（3）へ供給される。
【００９０】
一方、第２室内ユニット（U2）では、図１４（Ｃ）及び図１７に示すように、室内空気（RA）が室外へ排出される方向へファン（30）が回転し、同時に調湿モジュール（24）の熱歪部材（21）への引張力が解除される。したがって、空気中の水分が吸着層（23）に吸着され、減湿された空気が排出空気（EA）として室外に放出される。
【００９１】
そして、この実施形態４によれば、第１室内ユニット（U1）で空気を加湿して、その空気を室内（3）へ供給するときに、第２室内ユニット（U2）では空気を加湿して、その空気を室内（3）へ供給した後に吸湿動作を行う図１４（Ａ）,（Ｃ）の初期運転を行った後、いずれか一方の室内ユニット（U1，U2）で空気を加湿して、その空気を室内（3）へ供給するときに、他方の室内ユニット（U2，U1）では吸湿動作を行う図１４（Ｂ）の第１運転と図１４（Ｃ）の第２運転を交互に切り換えて行うことにより、加湿運転を連続して行うことができる。
【００９２】
なお、熱歪部材（21）は、加湿運転停止中には、熱歪部材（21）への疲労負荷の低減ため、引張力が解除される。また、この実施形態では、初期運転時間、第１運転時間、及び第２運転時間は、同じ長さである。
【００９３】
−実施形態４の効果−
実施形態４によれば、初期制御部（36）が、第１室内ユニット（U1）の調湿モジュール（24）で熱歪部材（21）に引張力を付与し且つ第２室内ユニット（U2）の調湿モジュール（24）で熱歪部材（21）に引張力を付与した後にその引張力を解除する初期運転を行うため、この初期運転において、第１室内ユニット（U1）の調湿モジュール（24）のみならず、第２室内ユニット（U2）の調湿モジュール（24）でも空気を加湿することができる。このため、従来のように単に切換え運転を行う場合と比較して、初期運転の半サイクルの分、湿度の立ち上がり時間、ひいては、装置の立ち上がり時間を短縮することができる。
【００９４】
−実施形態４の変形例−
（変形例１）
図１８に示す実施形態４の変形例１は、２つの室内ユニット（U1，U2）を空調対象の室内（3）に設置するように構成したものである。この変形例では、第１室内ユニット（U1）と第２室内ユニット（U2）の両方が、図の右側の壁面に設置されている。
【００９５】
この実施形態４の変形例１によれば、実施形態４と同様に、第１室内ユニット（U1）で空気を加湿して、その空気を室内（3）へ供給するときに、第２室内ユニット（U2）では空気を加湿して、その空気を室内（3）へ供給した後に吸湿動作を行う図１８（Ａ）,（Ｃ）の初期運転を行った後、いずれか一方の室内ユニット（U1，U2）で空気を加湿して、その空気を室内（3）へ供給するときに、他方の室内ユニット（U2，U1）では吸湿動作を行う図１８（Ｂ）の第１運転と図１８（Ｃ）の第２運転を交互に切り換えて行うことにより、加湿運転を連続して行うことができる。
【００９６】
《発明の実施形態５》
図１９に示す実施形態５は、加湿暖房機として構成した例である。この実施形態において、第１室内ユニット（U1）と第２室内ユニット（U2）の両方が、図の右側の壁面に設置されている。
【００９７】
この調湿装置（100）において、第１室内ユニット（U1）と第２室内ユニット（U2）に、上記調湿モジュール（24）に加えて、該調湿モジュール（20）に吸着層（23）を設けずに空気の冷却と加熱を行うように構成した冷却加熱モジュール（20）が設けられている。つまり、この冷却加熱モジュール（20）は、図２（Ａ）において、熱歪部材（21）と、この熱歪部材（21）に引張力を付与するアクチュエータ（22）とを有している。冷却加熱モジュール（24）では、引張力を付与すると空気を加熱することができ、引張力を解除すると空気を冷却することができる。
【００９８】
この実施形態５では、第１室内ユニット（U1）と第２室内ユニット（U2）のいずれについても、空気は冷却加熱モジュール（20）と調湿モジュール（24）を通過する。したがって、この調湿装置（100）では、空気の吸湿処理及び放湿処理を行うことに加えて、空気の冷却処理と加熱処理も行うことができる。
【００９９】
図１９（Ａ）,（Ｃ）は、第１室内ユニット（U1）で加熱放湿動作を行い、第２室内ユニット（U2）で加熱放湿動作を行った後に冷却吸湿動作を行う初期運転を示している。この初期運転は、暖房運転開始（再開）直後の、最初のバッチで行われる。初期運転において、第１室内ユニット（U1）では、図１９（Ａ）,（Ｃ）に示すように、調湿モジュール（24）の熱歪部材（21）に引張力が付与される。したがって、第１室内ユニット（U1）の調湿モジュール（24）が放熱し、室外から室内（3）へ流れる室外空気（OA）に水分が与えられる。また、第１室内ユニット（U1）では、冷却加熱モジュール（20）へも引張力が付与される。したがって、室外から室内（3）へ流れる室外空気（OA）が加熱される。そして、加湿されるとともに加熱された空気が供給空気（SA）として室内（3）へ供給される。
【０１００】
一方、第２室内ユニット（U2）では、図１９（Ａ）に示すように、調湿モジュール（24）の熱歪部材（21）に引張力が付与される。したがって、第１室内ユニット（U1）の調湿モジュール（24）が放熱し、室外から室内（3）へ流れる室外空気（OA）に水分が与えられる。また、第１室内ユニット（U1）では、冷却加熱モジュール（20）へも引張力が付与される。したがって、室外から室内（3）へ流れる室外空気（OA）が加熱される。そして、加湿されるとともに加熱された空気が供給空気（SA）として室内（3）へ供給される。その後、初期運転時間の、半分の時間が経過すると、第２室内ユニット（U2）では、図１９（Ｃ）に示すように、室内空気（RA）が室外へ排出される方向へファン（30）が回転し、同時に冷却加熱モジュール（20）の熱歪部材（21）への引張力の付与が解除され、調湿モジュール（24）の熱歪部材（21）への引張力の付与も解除される。したがって、室内（3）から室外へ向かう室内空気（RA）が冷却加熱モジュール（20）で冷却されてから調湿モジュール（24）を通過する。その際に、調湿モジュール（24）も吸熱しているので、調湿モジュール（24）の吸着層（23）に室内空気（RA）中の水分が吸着されて、該空気が排出空気（EA）として室外に放出される。
【０１０１】
図１９（Ｂ）は、第２室内ユニット（U2）で加熱放湿動作を行い、第１室内ユニット（U1）で冷却吸湿動作を行う状態を示している。第２室内ユニット（U2）では、調湿モジュール（24）の熱歪部材（21）に引張力が付与される。したがって、第２室内ユニット（U2）の調湿モジュール（24）が発熱し、室外から室内（3）へ流れる室外空気（OA）に水分が与えられる。また、第２室内ユニット（U2）では、冷却加熱モジュール（20）にも引張力が付与される。したがって、室外から室内（3）へ流れる室外空気（OA）が加熱される。そして、加湿されるとともに加熱された空気が供給空気（SA）として室内（3）へ供給される。
【０１０２】
一方、第１室内ユニット（U1）では、室内空気（RA）が室外へ排出される方向へファン（30）が回転し、同時に冷却加熱モジュール（20）の熱歪部材（21）への引張力の付与が解除され、調湿モジュール（24）の熱歪部材（21）への引張力の付与も解除される。したがって、室内（3）から室外へ向かう室内空気（RA）が冷却加熱モジュール（20）で冷却されてから調湿モジュール（24）を通過する。その際に、調湿モジュール（24）も吸熱しているので、調湿モジュール（24）の吸着層（23）に室内空気（RA）中の水分が吸着されて、該空気が排出空気（EA）として室外に放出される。
【０１０３】
図１９（Ｃ）は、第１室内ユニット（U1）で加熱放湿動作を行い、第２室内ユニット（U2）で冷却吸湿動作を行う状態を示している。第１室内ユニット（U1）では、調湿モジュール（24）の熱歪部材（21）に引張力が付与される。したがって、第１室内ユニット（U1）の調湿モジュール（24）が放熱し、室外から室内（3）へ流れる室外空気（OA）に水分が与えられる。また、第１室内ユニット（U1）では、冷却加熱モジュール（20）へも引張力が付与される。したがって、室外から室内（3）へ流れる室外空気（OA）が加熱される。そして、加湿されるとともに加熱された空気が供給空気（SA）として室内（3）へ供給される。
【０１０４】
一方、第２室内ユニット（U2）では、室内空気（RA）が室外へ排出される方向へファン（30）が回転し、同時に冷却加熱モジュール（20）の熱歪部材（21）への引張力の付与が解除され、調湿モジュール（24）の熱歪部材（21）への引張力の付与も解除される。したがって、室内（3）から室外へ向かう室内空気（RA）が冷却加熱モジュール（20）で冷却されてから調湿モジュール（24）を通過する。その際に、調湿モジュール（24）も吸熱しているので、調湿モジュール（24）の吸着層（23）に室内空気（RA）中の水分が吸着されて、該空気が排出空気（EA）として室外に放出される。
【０１０５】
この実施形態５によれば、第１室内ユニット（U1）で空気を加熱加湿して、その空気を室内（3）へ供給するときに、第２室内ユニット（U2）では空気を加熱加湿して、その空気を室内（3）へ供給した後に冷却吸湿動作を行う図１９（Ａ）,（Ｃ）の初期運転を行った後、いずれか一方の室内ユニット（U1，U2）で空気の加湿と加熱を行って、その空気を室内（3）へ供給するときに、他方の室内ユニット（U2，U1）では空気の冷却と吸着層（23）での吸湿を行う図１９（Ｂ）の運転と図１９（Ｃ）の運転を交互に切り換えて行うことにより、加湿暖房運転を連続して行うことができる。
【０１０６】
《発明の実施形態６》
実施形態６は、図１４及び図２０の調湿装置（100）において、引張力の付与状態を切り換えることにより、図１４の加湿運転と図２０の除湿運転とを切り換え可能に構成したものである。装置の基本的な構成は図１４と同様であるため、具体的な説明は省略する。
【０１０７】
この調湿装置（100）において、図１４（Ａ）〜（Ｃ）の加湿運転では、上記初期運転を行った後、室外から室内（3）へ供給される空気が通過する調湿モジュール（24）に引張力が付与され、室内（3）から室外へ排出される空気が通過する調湿モジュール（24）への引張力が解除される。また、図２０（Ａ），（Ｂ）の運転では、室外から室内（3）へ供給される空気が通過する調湿モジュール（24）への引張力が解除され、室内（3）から室外へ排出される空気が通過する調湿モジュール（24）へ引張力が付与される。
【０１０８】
このように構成すれば、２つの室内ユニット（U1，U2）を部屋の対向する壁面に設置した調湿装置（100）において、室内（3）を連続的に加湿する運転と、室内（3）を連続的に除湿する運転とを切り換えて行うことが可能になる。
【０１０９】
−実施形態６の変形例−
（変形例１）
実施形態６の変形例１は、図１８及び図２１の調湿装置（100）において、引張力の付与状態を切り換えることにより、図１８の加湿運転と図２１の除湿運転とを切り換え可能に構成したものである。装置の基本的な構成は図１８と同様であるため、具体的な説明は省略する。
【０１１０】
この調湿装置（100）において、図１８（Ａ）〜（Ｃ）の加湿運転では、上記初期運転を行った後、室外から室内（3）へ供給される空気が通過する調湿モジュール（24）に引張力が付与され、室内（3）から室外へ排出される空気が通過する調湿モジュール（24）への引張力が解除される。また、図２１（Ａ），（Ｂ）の運転では、室外から室内（3）へ供給される空気が通過する調湿モジュール（24）への引張力が解除され、室内（3）から室外へ排出される空気が通過する調湿モジュール（24）へ引張力が付与される。
【０１１１】
このように構成すれば、２つの室内ユニット（U1，U2）を部屋の対向する壁面に設置した調湿装置（100）において、室内（3）を連続的に加湿する運転と、室内（3）を連続的に除湿する運転とを切り換えて行うことが可能になる。
【０１１２】
（変形例２）
実施形態６の変形例２は、図１９及び図２２の調湿装置（1）において、引張力の付与状態を切り換えることにより、図１９の加湿暖房運転と図２２の除湿冷房運転とを切り換え可能に構成したものである。装置の基本的な構成は図１９と同様であるため、具体的な説明は省略する。
【０１１３】
この調湿装置（100）において、図１９（Ａ）〜（Ｃ）の加湿暖房運転では、上記初期運転を行った後、室外から室内（3）へ供給される空気が通過する調湿モジュール（20）と冷却加熱モジュール（24）に引張力が付与され、室内（3）から室外へ排出される空気が通過する調湿モジュール（20）と冷却加熱モジュール（24）への引張力が解除される。また、図２２（Ａ），（Ｂ）の除湿冷房運転では、室外から室内（3）へ供給される空気が通過する調湿モジュール（20）と冷却加熱モジュール（24）への引張力が解除され、室内（3）から室外へ排出される空気が通過する調湿モジュール（20）と冷却加熱モジュール（24）に引張力が付与される。
【０１１４】
このように構成すれば、２つの室内ユニット（U1，U2）のそれぞれに調湿モジュール（24）と冷却加熱モジュール（20）を設けた調湿装置（100）において、室内（3）を連続的に加湿暖房する運転と、室内（3）を連続的に除湿冷房する運転とを切り換えて行うことが可能になる。
【０１１５】
《その他の実施形態》
上記実施形態については、以下のような構成としてもよい。
【０１１６】
上記実施形態１〜３に係る冷却加熱モジュール（20）及び上記実施形態４〜６に係る調湿モジュール（24）において、図２３〜図２６に示すアクチュエータを用いて構成してもよい。
【０１１７】
図２３に係るアクチュエータは、ヒータ（111）とバイメタル（110）により構成されている。図２４に係るアクチュエータは、ピエゾ素子（112）により構成されている。図２５に係るアクチュエータは、駆動アーム（113）により構成されている。図２６に係るに係るアクチュエータは、ソレノイド（114）により構成されている。
【０１１８】
また、例えば、上記実施形態１〜３においては、ケーシング（10）内に取り込んだ室内空気を冷却加熱モジュール（20）で処理して室内（3）に供給する一方、ケーシング（10）内に取り込んだ室外空気を冷却加熱モジュール（20）で処理して室外に排出する循環方式を採用しているが、ケーシング（10）内に取り込んだ室外空気を冷却加熱モジュール（20）で処理して室内（3）に供給する一方、ケーシング（10）内に取り込んだ室内空気を冷却加熱モジュール（20）で処理して室外に排出する換気方式を採用してもよい。
【０１１９】
また、上記実施形態１〜３において説明している冷却加熱モジュール（20）の具体的な構成は、空気調和装置（1）の装置構成に応じて適宜変更してもよい。
【０１２０】
さらには、空気調和装置（1）の構成も、冷房運転や暖房運転、あるいは除湿冷房運転や加湿暖房運転を行える限りは適宜変更してもよい。
【０１２１】
また、例えば、上記実施形態４〜６においては、室外空気を除加湿処理して室内（3）に供給し、室内空気を調湿モジュール（24）の吸着再生処理に使って室外に排出する換気方式を採用しているが、室内空気を循環させる構成において調湿モジュール（24）で水分の吸着や脱離を行うように構成してもよい。
【０１２２】
また、上記実施形態４〜６において説明している調湿モジュール（24）の具体的な構成は、調湿装置（100）の装置構成に応じて適宜変更してもよい。
【０１２３】
さらには、調湿装置（100）の構成も、除湿運転や加湿運転を行える限りは適宜変更してもよい。
【０１２４】
また、上述した各実施形態の熱歪部材（21）は、引張力の付与により発熱し、引張力の解除により吸熱するように構成される。しかし、熱歪部材（21）は、圧縮力の付与により発熱し、圧縮力の解除により吸熱する構成であってもよい。
【０１２５】
さらには、本発明の趣旨を逸脱しない限り、上記各実施形態の構成要素を任意に組み合わせてもよい。
【０１２６】
なお、以上の実施形態は、本質的に好ましい例示であって、本発明、その適用物、あるいはその用途の範囲を制限することを意図するものではない。
【産業上の利用可能性】
【０１２７】
以上説明したように、本発明は、空気調和装置及び調湿装置について有用である。
【符号の説明】
【０１２８】
１          空気調和装置 
３          室内 
２０        冷却加熱モジュール 
２１        熱歪部材 
２２        アクチュエータ 
２３        吸着層 
２４        調湿モジュール 
３５        切換制御部（制御部）
３６        初期制御部
３７        調温制御部
３８        調湿制御部
１００      調湿装置
Ｐ１，Ｐ２  空気通路
【図１】
2014178093.tif 000003
【図２】
2014178093.tif 000004
【図３】
2014178093.tif 000005
【図４】
2014178093.tif 000006
【図５】
2014178093.tif 000007
【図６】
2014178093.tif 000008
【図７】
2014178093.tif 000009
【図８】
2014178093.tif 000010
【図９】
2014178093.tif 000011
【図１０】
2014178093.tif 000012
【図１１】
2014178093.tif 000013
【図１２】
2014178093.tif 000014
【図１３】
2014178093.tif 000015
【図１４】
2014178093.tif 000016
【図１５】
2014178093.tif 000017
【図１６】
2014178093.tif 000018
【図１７】
2014178093.tif 000019
【図１８】
2014178093.tif 000020
【図１９】
2014178093.tif 000021
【図２０】
2014178093.tif 000022
【図２１】
2014178093.tif 000023
【図２２】
2014178093.tif 000024
【図２３】
2014178093.tif 000025
【図２４】
2014178093.tif 000026
【図２５】
2014178093.tif 000027
【図２６】
2014178093.tif 000028